(57)【要約】【課題】  複数色の発光ダイオードから同じ放射特性で光を放射させることを可能にする発光ダイオードモジュールを提供する。【解決手段】  少なくとも２色以上の発光ダイオード１０Ｂ，１０Ｇ，１０Ｒを有して成り、各発光ダイオード１０Ｂ，１０Ｇ，１０Ｒから発光した光がそれぞれ独立して放射され、かつ各発光ダイオードのチップ１０Ｂ，１０Ｇ，１０Ｒが、略垂直方向に積層されている発光ダイオードモジュール２０を構成する。【選択図】        図１
2006286908.tif 000002
【特許請求の範囲】
【請求項１】
少なくとも２色以上の発光ダイオードを有して成り、
各前記発光ダイオードから発光した光がそれぞれ独立して放射され、
かつ各前記発光ダイオードのチップが略垂直方向に積層されている
ことを特徴とする発光ダイオードモジュール。
【請求項２】
各前記発光ダイオードのチップは、それぞれ光学多層膜による反射面を有するベースの中央部に配置されていることを特徴とする請求項１に記載の発光ダイオードモジュール。
【請求項３】
それぞれの前記反射面の前記光学多層膜は、対応する前記ベースの中央部に配置された前記発光ダイオードの発光波長帯域の光のみを反射する構成であることを特徴とする請求項２に記載の発光ダイオードモジュール。
【請求項４】
赤色発光ダイオード、緑色発光ダイオード、青色発光ダイオードを有して成り、これらの発光ダイオードの積層順序が、上層から青色発光ダイオード、緑色発光ダイオード、赤色発光ダイオードの順に配置されていることを特徴とする請求項１に記載の発光ダイオードモジュール。
【請求項５】
カラーフィルタを備えた透過型のカラー液晶表示パネルと、
前記カラー液晶表示パネルを背面側から照明する液晶表示用バックライト光源とから成るカラー液晶表示装置であって、
赤色発光ダイオード、緑色発光ダイオード、青色発光ダイオードを有して成り、各発光ダイオードから発光した光がそれぞれ独立して放射され、かつ各発光ダイオードのチップが略垂直方向に積層されている発光ダイオードモジュールを備えて、前記バックライト光源が構成されている
ことを特徴とするカラー液晶表示装置。
【発明の詳細な説明】
【技術分野】
【０００１】
本発明は、複数色の発光ダイオードを備えて成る発光ダイオードモジュールに係わる。また、この発光ダイオードモジュールをバックライト光源に使用したカラー液晶表示装置に係わる。
【背景技術】
【０００２】
発光ダイオード（ＬＥＤ）を含む発光素子は、光スペクトルの特定の領域にピーク波長を有する光を発生させることができるよく知られた固体デバイスである。
この発光ダイオードは、典型的には、照明器、表示器及びディスプレイとして使用されている。
【０００３】
また近年、青色光を効率的に放射することができる窒化ガリウム（ＧａＮ）系の発光ダイオードが開発され、その用途も大きく拡大している。
【０００４】
特に、窒化ガリウム系の発光ダイオードが発する青色光を変換して、より長波長の光を発生させるものも多く流通している（例えば、特許文献１参照）。これらは、可視光の青色光を発光するサファイア基板上に形成された窒化ガリウム系半導体から成る発光素子と、この発光素子からの青色光を吸収し、補色となる黄色が発光可能なＣｅで付活されたＹＡＧ蛍光体とを組み合わせることによって、白色発光を得ており、従来よりも演色性の高い光を発光させることが可能となっている。
【０００５】
【特許文献１】特許３５０９６６５号公報
【発明の開示】
【発明が解決しようとする課題】
【０００６】
しかしながら、上述した白色発光る発光ダイオード（いわゆる白色ＬＥＤ）をカラー液晶表示装置のバックライト光源として使用した場合には、蛍光体の発光帯域が非常にブロードであるため、カラー液晶表示装置のカラーフィルタによってカットされる波長帯域が非常に大きくなってしまう、という問題点があった。
さらに、赤色の発色が弱いため、液晶を通過した光の色域が狭くなり、色再現性に欠ける、という問題点があった。
【０００７】
上述の問題を解決する方法として、例えば、光の３原色であるＲ，Ｇ，Ｂそれぞれの発光をする３つの半導体発光素子を横に並べて、これらの半導体発光素子を単一のモジュール内に搭載することが考えられる。
【０００８】
しかしながら、このような構成とすると、半導体発光素子がそれぞれ有限の大きさを有しているため、半導体発光素子を平面的に近接して配置したとしても、その上部にあるレンズとの位置関係がそれぞれ異なるため、放射特性（放射角と強度の分布等）が各色（Ｒ，Ｇ，Ｂ）で異なってくる。
【０００９】
このように各色の放射特性が異なる発光ダイオードモジュールを、液晶表示装置のバックライト光源として用いた場合、本来均一な白色発光をすべきところが色が分かれてしまい、表示画像とは無関係な色が表示されてしまう、という問題があった。
【００１０】
上述した問題の解決のために、本発明においては、複数色の発光ダイオードから同じ放射特性で光を放射させることを可能にする発光ダイオードモジュールを提供するものである。また、この発光ダイオードモジュールをバックライト光源に使用したカラー液晶表示装置を提供するものである。
【課題を解決するための手段】
【００１１】
本発明の発光ダイオードモジュールは、少なくとも２色以上の発光ダイオードを有して成り、各発光ダイオードから発光した光がそれぞれ独立して放射され、かつ各発光ダイオードのチップが略垂直方向に積層されているものである。
【００１２】
また、本発明のカラー液晶表示装置は、カラーフィルタを備えた透過型のカラー液晶表示パネルと、このカラー液晶表示パネルを背面側から照明する液晶表示用バックライト光源とから成り、バックライト光源が、赤色発光ダイオード、緑色発光ダイオード、青色発光ダイオードを有する上記本発明の発光ダイオードモジュール（即ち、各発光ダイオードから発光した光がそれぞれ独立して放射され、かつ各発光ダイオードのチップが略垂直方向に積層されている発光ダイオードモジュール）を備えて成るものである。
【００１３】
上述の本発明の発光ダイオードモジュールの構成によれば、少なくとも２色以上の発光ダイオードを有して成り、各発光ダイオードから発光した光がそれぞれ独立して放射され、かつ各発光ダイオードのチップが略垂直方向に積層されていることにより、各発光ダイオードの水平方向の位置が揃えられており、各発光ダイオードから発光した光を、ほぼ平行な方向に揃えることが可能になる。これにより、２色以上の発光ダイオードの出射光をほぼ均一に混合することができる。
【００１４】
また、上述の本発明のカラー液晶表示装置の構成によれば、バックライト光源が、赤色発光ダイオード、緑色発光ダイオード、青色発光ダイオードを有する上記本発明の発光ダイオードモジュールを備えているため、赤色発光ダイオード、緑色発光ダイオード、青色発光ダイオードからの光を均一に混合して、均一な白色光が得られる。これにより、前述した色が分かれる問題を解決することができ、カラー液晶表示装置において、表示すべき画像と対応した色を表示することができる。
【発明の効果】
【００１５】
上述の本発明の発光ダイオードモジュールによれば、２色以上の発光ダイオードの出射光をほぼ均一に混合することができるため、混合して得られる光を良好な放射特性とすることができる。
【００１６】
また、本発明のカラー液晶表示装置によれば、発光ダイオードの色域の広さを活かして色域を広くすることができると共に、バックライト光源内での混色が容易になり、高い表示特性を実現することができる。
【発明を実施するための最良の形態】
【００１７】
本発明は、複数色（少なくとも２色以上）の発光ダイオードから成る発光ダイオードモジュールにおいて、各発光ダイオードから発光した光がそれぞれ独立して放射され、かつ各発光ダイオードのチップが略垂直方向に積層されていることを特徴とする。
このような構成とすることにより、各発光ダイオードの水平方向の位置が揃えられており、各発光ダイオードから発光した光を、ほぼ平行な方向に揃えることが可能になるため、２色以上の発光ダイオードの出射光をほぼ均一に混合することができる。
従って、混合して得られる光を良好な放射特性とすることができる。
【００１８】
この発光ダイオードモジュールにおいて、各発光ダイオードチップが、それぞれ光学多層膜による反射面を有するベースの中央部に配置されている構成とすることもできる。
このような構成としたときには、各発光ダイオードのチップから出射した光が、光学多層膜による反射面で反射して、反射した後の光を光軸がほぼ同じで、ほぼ平行な方向に揃えることが可能になる。そして、この場合、反射面を使用しない構成と比較して、上層の発光ダイオードのチップ内を通過する光の割合を少なくすることができるため、チップ内を通過する際の減衰がなく、効率よく出射光を利用することができる。
【００１９】
この発光ダイオードモジュールにおいて、さらに、反射面の光学多層膜が、対応するベースの中央部に配置された発光ダイオードの発光波長帯域の光のみを反射する構成とすることもできる。
このような構成としたときには、反射面の光学多層膜は、下層側に積層されたチップからの光を透過して、対応するベースに配置された発光ダイオードからの光を反射するので、反射した光と透過した光をそれぞれ上方に放射することができる。
【００２０】
この発光ダイオードモジュールにおいて、赤色発光ダイオード、緑色発光ダイオード、青色発光ダイオードを有して成り、これらの発光ダイオードの積層順序が、青色発光ダイオード、緑色発光ダイオード、赤色発光ダイオードの順に上層に配置されている構成とすることもできる。
このような構成としたときには、下層に配置された発光ダイオードからの光が、上層に配置された発光ダイオードのチップ内を透過するので、このチップ内を透過する光も利用することが可能になる。
【００２１】
本発明の一実施の形態として、発光ダイオードモジュールの概略構成図を図１に示す。
この発光ダイオードモジュール２０は、上面が凹面形状となっているベース基板１６の上に、３原色（青Ｂ・緑Ｇ・赤Ｒ）の発光ダイオードのチップ１０Ｂ，１０Ｇ，１０Ｒがそれぞれ１個ずつ設けられた構造が、３つ積層されて構成されている。
それぞれの発光ダイオードのチップ１０Ｂ，１０Ｇ，１０Ｒから発光した光Ｌ１，Ｌ２，Ｌ３は、それぞれ独立して放射される。
【００２２】
各ベース基板１６の間の領域１７は、透明材料（樹脂等）により充填されている、或いは、中空になっている。
【００２３】
そして、発光ダイオードのチップ１０Ｂ，１０Ｇ，１０Ｒを備えたベース基板１６全体がケース１８に収納されている。
なお、図１では、ケース１８の上面を平面としているが、レンズ形状の凸曲面或いは凹曲面としてもよい。
【００２４】
ここで、図１の発光ダイオードモジュール２０の青色Ｂの発光ダイオードのチップ１０Ｂに対応する１色分（青色発光モジュール）の構成を図２及び図３に示す。図２は斜視図であり、図３は図２のＡ−Ａ´における断面図である。
【００２５】
図２及び図３に示すように、ベース基板１６は、ベースフィルム１３の表面（上面）側にダイクロイックミラー１２が形成され、ベースフィルム１３の裏面（下面）側に透明配線１４が形成され、さらに透明配線１４を覆って絶縁材１５が形成されて成る。
ダイクロイックミラー１２は、青色の波長帯域を反射し、それ以外の波長帯域の可視光線を透過する特性とする。
また、透明配線１４には、通常透明電極等に使用される材料、例えばＩＴＯ（インジウム錫酸化物）を使用することができる。
絶縁材１５には、透明な絶縁材料、例えばアクリル樹脂を使用する。
【００２６】
青色Ｂの発光ダイオードのチップ１０Ｂは、ベース基板１６の凹面の中心部に設けられている。そして、好ましくは、ベース基板１６の凹面の中心軸と、発光ダイオードチップ１０Ｂからの放射光の光軸とが略一致するように配置する。
また、青色Ｂの発光ダイオードのチップ１０Ｂは、ベース基板１６内を貫通して透明配線１４に達するスタッドバンプ１１を介して、透明配線１４と電気的に接続されている。これにより、透明配線１４を通じてチップ１０Ｂに電圧が供給される。
【００２７】
なお、緑色Ｇの発光ダイオードのチップ１０Ｇに対応する緑色発光モジュール及び赤色Ｒの発光ダイオードのチップ１０Ｒに対応する赤色発光モジュールも、青色Ｂの発光代オードのチップ１０Ｂに対応する青色発光モジュールと同様の構成とされる。
ただし、緑色発光ダイオードでは、ダイクロイックミラーを、緑色の波長帯域を反射し、それ以外の波長帯域の可視光線を透過する特性とする。
また、赤色発光ダイオードでは、ダイクロイックミラーを、赤色の波長帯域を反射し、それ以外の波長帯域の可視光線を透過する特性とするか、或いはダイクロイックミラーの代わりに単なる反射ミラーとする。
【００２８】
そして、３色の発光モジュールを、下層から、赤色Ｒの発光ダイオードのチップ１０Ｒに対応する赤色発光モジュール、緑色Ｇの発光ダイオードのチップ１０Ｇに対応する緑色発光モジュール、青色Ｂの発光ダイオードのチップ１０Ｂに対応する青色発光モジュールの順に積層して、ケース１８に収納することにより、図１に示す発光ダイオードモジュール２０を構成することができる。
ベース基板１６の透明配線１４は、図１に示す接点１９によりケース１８内の配線（図示せず）と接続され、外部から透明配線１４を通じて、発光ダイオードのチップ１０Ｂ，１０Ｇ，１０Ｒに電圧が供給される。
【００２９】
このとき、各色の発光ダイオードのチップ１０Ｒ，１０Ｇ，１０Ｂは、発光面に対して略垂直に並ぶように位置合わせされた配置となっている。
また、３枚のベース基板１６は、その上面（ダイクロイックミラー１２）の曲面の曲率が同等となっている。
これにより、図１にそれぞれ矢印で示す、青色Ｂの発光ダイオードのチップ１０Ｂからの出射光Ｌ１と、緑色Ｇの発光ダイオードのチップ１０Ｇからの出射光Ｌ２と、赤色Ｒの発光ダイオードのチップ１０Ｒからの出射光Ｌ３とが、それぞれベース基板１６のダイクロイックミラーで反射されて、ほぼ平行で光軸がほぼ揃った光になる。
【００３０】
なお、図１に示した光線Ｌ１，Ｌ２，Ｌ３は、チップ１０Ｂ，１０Ｇ，１０Ｒから放射される光の一例を示したものであり、実際にはチップ１０Ｂ，１０Ｇ，１０Ｒの中心軸から外側へ向かうように放射される。
【００３１】
また、各色の発光ダイオードのチップ１０Ｂ，１０Ｇ，１０Ｒは、チップ１０Ｂ，１０Ｇ，１０Ｒの上方向よりも横方向に主として放射する放射特性を有するように構成することが望ましい。
このように構成すれば、ベース基板１６の凹面の曲率をそれほど大きくしなくても、上方に光を反射させることができる。
【００３２】
本実施の形態の発光ダイオードモジュール２０の構成によれば、各色の発光ダイオードのチップ１０Ｒ，１０Ｇ，１０Ｂを、略垂直方向に並ぶように、３色の発光モジュールを積層していることにより、３色の放射特性をほぼ同じ特性に揃えることができる。
これにより、均一な白色発光が得られる。
【００３３】
従って、例えば液晶表示装置のバックライト光源に用いた場合には、色が分かれることを防いで表示画像に対応した色を表示することができ、発光ダイオードの広い色域を有する特徴を充分に生かして、広い色域を表示することができる。また、バックライト光源内での混色も容易になり、色再現範囲も広くなるため、高い表示特性を実現することができる。
【００３４】
本実施の形態の発光ダイオードモジュール２０は、例えば以下のようにして製造することができる。
【００３５】
まず、ベースフィルム１３の表面側に、青色の波長帯域を反射し、それ以外の可視光は透過するダイクロイックミラー１２を形成する。
次に、ベースフィルム１３の裏面に、例えばＩＴＯ（インジウム錫酸化物）から成る透明配線１４を形成する。
これらダイクロイックミラー１２及び透明配線１４は、好適にはスパッタリング法を用いて形成される。
さらに、ベースフィルム１３の裏面側の透明配線１４を覆って、絶縁材１５を形成して、ベース基板１６を作製する。
【００３６】
次に、ベース基板１６の中央部に、青色に発光する半導体発光素子のチップ１０Ｂを、スタッドバンプ１１を介して透明配線１４と電気的に接続できるようにマウントする。
その後、加熱処理によって、ダイクロイックミラー１２の成型を行い、凹面形状とする。これにより、青色発光用モジュールが形成される。
【００３７】
また、赤色、緑色についても、青色と同様の製造工程を経ることにより、各色のモジュールを形成する。製造工程が同様であるため、詳細な説明は省略する。
こうしてそれぞれ形成した各色のモジュールを積層して、ケース１８に収納する。このとき、接点１９によりベース基板の透明配線１４とケース１８内の配線とを接続する。
このようにして、図１に示した発光ダイオードモジュール２０を製造することができる。
【００３８】
上述の実施の形態の発光ダイオードモジュール２０を、バックライト光源に用いて、例えば、以下に示すようなカラー液晶表示装置を構成することができる。
カラー液晶表示装置の概略構成図（分解斜視図）を図４に示す。
このカラー液晶表示装置１００は、透過型のカラー液晶表示装置であり、透過型のカラー液晶表示パネル１１０と、このカラー液晶表示パネル１１０の背面側に設けられたバックライト装置１４０とからなる。
【００３９】
なお、図示しないが、カラー液晶表示装置１００に、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部等を備えていてもよい。
【００４０】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。このカラーフィルタ１１９は、各画素に対応した複数のセグメントに分割されている。
【００４１】
カラー液晶表示装置１００は、このような構成の透過型のカラー液晶表示パネル１１０を２枚の偏光板１３１，１３２で挟み、バックライト装置１４０により背面側から白色光を照射した状態で、アクティブマトリックス方式で駆動することによって、所望のフルカラー映像を表示させることができる。
バックライト装置１４０は、カラー液晶表示パネル１１０を背面側から照明する。図４に示すように、バックライト装置１４０は、光源（図５参照）と、光源から出射された光を白色光へと混色するための光学フィルタ（図示せず）とを設けたバックライト筐体部１２０と、拡散板１４１と、拡散板１４１上に重ねて配列される拡散シート１４２、プリズムシート１４３、偏光変換シート１４４といった光学機能シート群１４５とを備えた構成となっている。
拡散板１４１は、バックライト筐体部１２０から出射された光を内部拡散させることで、面発光における輝度の均一化を行う。
一般に、光学機能シート群は、例えば、入射光を直交する偏光成分に分解する機能、光波の位相差を補償して広角視野角化や着色防止を図る機能、入射光を拡散させる機能、輝度向上を図る機能等を備えたシートで構成されており、バックライト装置１４０から面発光された光をカラー液晶表示パネル１１０の照明に最適な光学特性を有する照明光に変換するために設けられている。従って、光学機能シート群１４５の構成は、上述した拡散シート１４２、プリズムシート１４３、偏光変換シート１４４に限定されるものではなく、様々な光学機能シートを用いることができる。
【００４２】
図５に、バックライト筐体部１２０内の概略構成図を示す。この図５に示すように、バックライト筐体部１２０は、図１に示した発光ダイオードモジュール２０を光源として用いている。
そして、図１に示した発光ダイオードモジュール２０において、例えば、赤色Ｒの発光ダイオードのチップ１０Ｒで発光される赤色光、緑色Ｇの発光ダイオードのチップ１０Ｇで発光される緑色光、青色Ｂの発光ダイオードのチップ１０Ｂで発光される青色光のピーク波長は、それぞれ６４０ｎｍ、５３０ｎｍ、４５０ｎｍ程度とされる。
なお、赤色光と青色光のピーク波長は、それぞれ６４０ｎｍから長波長側へ、４５０ｎｍから短波長側へシフトしてもよい。このようにピーク波長を、長波長側、短波長側へシフトさせると、色域を広げることができるため、カラー液晶表示パネルに表示させる画像の色再現範囲を拡大することができる。
【００４３】
発光ダイオードモジュール２０を、図５に示すように、基板２２上に列状に複数配列させることで、発光ダイオードユニット２１ｎ（ｎは、自然数。）が形成される。
バックライト筐体部１２０内への発光ダイオードユニット２１ｎの配列の仕方は、図５に示すように、発光ダイオードユニット２１ｎの長手方向が、水平方向となるように配列してもよいし、図示しないが、発光ダイオードユニット２１ｎの長手方向が垂直方向となるように配列してもよいし、両者を組み合わせても良い。
なお、発光ダイオードユニット２１ｎの長手方向を、水平方向或いは垂直方向とするように配列する手法は、従来までのバックライト装置の光源として利用していたＣＣＦＬ（冷陰極管）の配列の仕方と同じになるため、蓄積された設計ノウハウを利用することができ、コストの削減や、製造までに要する時間を短縮することができる。
バックライト筐体部１２０の内壁面１２０ａは、発光ダイオードモジュール２０から発光された光の利用効率を高めるために反射加工がなされた反射面となっている。
【００４４】
そして、このカラー液晶表示装置１００は、バックライト装置１４０の光源として、図１に示した発光ダイオードモジュール２０を使用していることにより、発光ダイオードモジュール２０により均一な白色発光が得られるので、色が分かれることを防いで表示画像に対応した色を表示することができ、発光ダイオードの広い色域を有する特徴を充分に生かして、広い色域を表示することができる。また、バックライト光源内での混色も容易になり、色再現範囲も広くなるため、高い表示特性を実現することができる。
【００４５】
上述の実施の形態の発光ダイオードモジュール２０では、３原色の発光ダイオード（Ｒ，Ｇ，Ｂ）をそれぞれ１個ずつ積層してモジュールを構成したが、その他の構成にも本発明を適用することができる。
本発明は、発光ダイオードの発光色が複数ある構成であれば適用可能であり、複数の発光色の組み合わせは限定されず、例えば上記の３原色から２色を選定したり、可視光線の他の帯域の発光色を有する発光ダイオードを含む組み合わせとしたりしても構わない。また、各発光色の発光ダイオードは１個ずつに限らず、一部又は全ての発光色の発光ダイオードを複数個積層してもよい。
【００４６】
なお、複数色の発光ダイオードの積層順序は、発光波長の短いものほど上層に配置することが望ましい。
これは、発光波長の長い順に上層に配置すると、発光波長の短い発光ダイオードからの光が発光波長の長い発光ダイオードのチップ内を透過しないため、その分放射光が減少してしまう等の理由による。なお、この放射光の減少が無視できる量である場合には、積層順序は問わない。
図１に示した実施の形態でも、赤色発光ダイオード、緑色発光ダイオード、青色発光ダイオードの積層順序が、発光波長の短い順、即ち青色発光ダイオード、緑色発光ダイオード、赤色発光ダイオードの順に上層に配置されている。
【００４７】
また、積層する発光ダイオードのチップは、チップの大きさ及び水平位置を全く同一にすることが理想的であるが、光軸をほぼ揃えた各色の光を混合により均一な光（例えば白色光）とすることができる限りは、チップの大きさや位置に若干のずれがあっても構わない。
【００４８】
さらに、上述の実施の形態の発光ダイオードモジュール２０では、ベース基板１６の上面が凹曲面になっていて、反射面としてダイクロイックミラー１２が形成された構成であったが、本発明では、ベース基板の上面に反射面が形成されている構成に限定されるものではない。
例えば、各発光ダイオードのチップが横方向よりも上方向に多く光を出射する構成として、平板状の透明なベース基板上に発光ダイオードのチップを配置した発光モジュールを積層させて、反射面を経ないで直接出射させることも可能である。この場合も、各発光ダイオードからの出射光をほぼ平行に揃えて均一な混色を行うことができる。
【００４９】
反射面で反射させて出射させる構成とした場合には、反射面を経ないで直接出射させる構成とした場合と比較して、各発光ダイオードの出射光の光軸の位置もほぼ揃えることができ、また上層に積層された発光ダイオードのチップ内を通過する光の割合を少なくしてチップ内の通過による損失を低減した分、光の利用効率を向上することができる利点を有する。
【００５０】
なお、本発明の発光ダイオードモジュールは、図４及び図５に示したようなカラー液晶表示装置のバックライトの光源に限らず、その他照明装置等の幅広い範囲の機器の光源として利用することができる。
【００５１】
本発明は、上述の実施の形態に限定されるものではなく、本発明の要旨を逸脱しない範囲でその他様々な構成が取り得る。
【図面の簡単な説明】
【００５２】
【図１】本発明の一実施の形態の発光ダイオードモジュールの概略構成図（断面図）である。
【図２】図１の発光ダイオードモジュールにおける１色分の構成の斜視図である。
【図３】図２のＡ−Ａ´における断面図である。
【図４】カラー液晶表示装置の概略構成図（分解斜視図）である。
【図５】図４のバックライト筐体部の概略構成図である。
【符号の説明】
【００５３】
１０Ｂ  青色の発光ダイオードのチップ、１０Ｇ  緑色の発光ダイオードのチップ、１０Ｒ  赤色の発光ダイオードのチップ、１１  スタッドバンプ、１２  ダイクロイックミラー、１３  ベースフィルム、１４  透明配線、１５  絶縁材、１６  ベース基板、１８  ケース、２０  発光ダイオードモジュール、１００  カラー液晶表示装置、１１０  カラー液晶表示パネル、１２０  バックライト筐体部、１４０  バックライト装置
【図１】
2006286908.tif 000003
【図２】
2006286908.tif 000004
【図３】
2006286908.tif 000005
【図４】
2006286908.tif 000006
【図５】
2006286908.tif 000007